(57)【要約】【課題】着座者の姿勢をより正しい状態に保持することが可能な姿勢保持具を提供する。【解決手段】左右方向における中央部よりも両側縁部が表側に位置するようにした表面１４を有して前記着座者５０の腰部５３を支持する腰部支持部１３と、前記腰部支持部１３の表面１４のうち前記左右方向における中央部に突設された突出部３１と、を備えている。これにより、腰部支持部１３によって着座者５０の腰部５３が左右両側から支持されて骨盤が左右方向に正しい位置に保持され、さらに突出部３１に仙骨５９が当たるようにして座ることにより仙骨５９の前後方向の位置が正しい位置に定められる。【選択図】図１
2020054922.tif 000002
【特許請求の範囲】
【請求項１】
左右方向における中央部よりも両側縁部が表側に位置するようにした表面を有して前記着座者の腰部を左右両側から支持する腰部支持部と、
前記腰部支持部の表面のうち前記左右方向における中央部に突設され、仙骨の後方部位に当接する突出部と、
を備え、
前記腰部支持部の上部が、前記突出部の左右両側において前記突出部より上方に立ち上がっている姿勢保持具。
【請求項２】
前記腰部支持部の上部が、下部よりも表側に位置する形状をなしている請求項１に記載の姿勢保持具。
【請求項３】
着座者の臀部を支持する臀部支持部を備え、
前記腰部支持部は、前記臀部支持部から上方に立ち上がり、
前記突出部は、前記臀部支持部の表面より上方に離れて位置する請求項１または請求項２に記載の姿勢保持具。
【請求項４】
左右方向における中央部よりも両側縁部が表側に位置するようにした表面を有して前記着座者の臀部を支持する臀部支持部を備えている請求項１から請求項３のいずれか一項に記載の姿勢保持具。
【請求項５】
前記臀部支持部の裏面が、裏側に膨らんだ形状をなしている請求項３または請求項４に記載の姿勢保持具。
【発明の詳細な説明】
【技術分野】
【０００１】
本発明は、着座者の姿勢を正しい状態に保持する姿勢保持具に関する。
【背景技術】
【０００２】
従来、例えば椅子の座面に載せて使用することにより、その椅子に着座する者の姿勢を正しい状態に保持する姿勢保持具が知られている。この種の姿勢保持具として、例えば下記特許文献１に記載された椅子用クッションは、着座者の臀部が当接する座部と、着座者の背中が当接する背部とを備え、座部および背部はいずれも所定の厚さ寸法を有する略方形の厚板状に形成されている。そして、座部および背部の表面には、着座者の臀部や背中が納まるように凹状に湾曲した曲面が形成されている。
【先行技術文献】
【特許文献】
【０００３】
【特許文献１】特開２０１４−１２１３０号公報
【発明の概要】
【発明が解決しようとする課題】
【０００４】
ところで、より正しい姿勢を実現するためには、着座者の骨盤の歪みのみならず腰椎の歪みを正すことが重要である。しかしながら、上記のような構成の姿勢保持具では、腰椎を正しい位置に保持することが難しかった。
【０００５】
本発明は上記のような事情に基づいて完成されたものであって、着座者の姿勢をより正しい状態に保持することが可能な姿勢保持具を提供することを目的とする。
【課題を解決するための手段】
【０００６】
本発明の姿勢保持具は、左右方向における中央部よりも両側縁部が表側に位置するようにした表面を有して前記着座者の腰部を左右両側から支持する腰部支持部と、前記腰部支持部の表面のうち前記左右方向における中央部に突設され、仙骨の後方部位に当接する突出部と、を備え、前記腰部支持部の上部が、前記突出部の左右両側において前記突出部より上方に立ち上がっている。
【発明の効果】
【０００７】
本発明によれば、腰部支持部によって着座者の腰部が左右両側から支持されて骨盤が左右方向に正しい位置に保持され、さらに突出部に仙骨が当たるようにして座ることにより仙骨の前後方向の位置が正しい位置に定められ、それにより仙骨が支持する腰椎を正しい位置に保持することができるから、着座者の姿勢をより正しい状態に保持することができる。なお、一般に、着座者の身長差によって骨盤の大きさは大きく変わらないものとされている。
【図面の簡単な説明】
【０００８】
【図１】本実施例における姿勢保持具を表側から見た図
【図２】姿勢保持具を裏側から見た図
【図３】姿勢保持具を示す側面図
【図４】姿勢保持具を示す断面図であって、図１のＡ−Ａ位置における断面に相当する断面図
【図５】姿勢保持具を示す断面図であって、図１のＢ−Ｂ位置における断面に相当する断面図
【図６】姿勢保持具を示す断面図であって、図１のＣ−Ｃ位置における断面に相当する断面図
【図７】滑り止め部の係止構造を示す姿勢保持具の一部拡大断面図
【図８】突出部の固定構造を示す姿勢保持具の一部拡大断面図
【図９】使用状態を示す姿勢保持具の側断面図
【図１０】使用状態を示す臀部支持部の断面図
【図１１】使用状態を示す姿勢保持具の背面図
【発明を実施するための形態】
【０００９】
本発明の好ましい形態を以下に示す。
本発明の姿勢保持具は、前記腰部支持部の上部が、下部よりも表側に位置する形状をなしているものとしてもよい。このような構成によれば、腰部支持部によって支持された着座者の腰部が前傾姿勢になり、着座者の骨盤が立ち上がった状態で保持されるから、着座者の姿勢をより正しい状態に保持することができる。
【００１０】
また、本発明の姿勢保持具は、左右方向における中央部よりも両側縁部が表側に位置するようにした表面を有して前記着座者の臀部を支持する臀部支持部を備えているものとしてもよい。このような構成によれば、臀部支持部によって着座者の臀部が左右両側から支持されるから、着座者の骨盤が左右方向に歪むことを防ぐことができる。
【００１１】
また、本発明の姿勢保持具は、前記臀部支持部の裏面が、裏側に膨らんだ形状をなしているものとしてもよい。このような構成によれば、着座者の臀部が臀部支持部に載せられることによって腰部支持部が前傾変位しようとするから、着座者の腰部に腰部支持部を押し付けることができる。
【００１２】
＜実施例＞
以下、本発明を具体化した一実施例について、図１〜図１１を参照しつつ詳細に説明する。
本実施例における姿勢保持具１０は、着座者５０の臀部５１を支持する臀部支持部１１と、着座者５０の大腿５２を支持する大腿支持部１２と、着座者５０の腰部５３を支持する腰部支持部１３と、を備えている。この姿勢保持具１０の表面（着座者５０の各部位が当接する面）１４は人体をトレースした曲面によって構成されている。以下、各構成部材において、姿勢保持具１０のうち表面と反対側の面（椅子７０の座面７１等に当接する面）を裏面とし、また、着座者５０を基準としてその正面側を前方、反対側を後方、着座者５０の左右を左右方向として説明する。なお、姿勢保持具１０は左右対称な形状をなしている。
【００１３】
姿勢保持具１０は、表面１４の湾曲形状と概ね同じように湾曲した形状に形成されたベース部１５の表側にクッション部１６が接着されてなる。ベース部１５は、例えばポリプロピレン等の合成樹脂製であって比較的硬く、厚さ寸法は概ね一定で薄くされている。
【００１４】
クッション部１６は、発砲ポリウレタン等からなる柔らかいものであり、ベース部１５の表面のほぼ全体を覆っている。クッション部１６は、複数に分割された形態をなしており、姿勢保持具１０の表面１４には凹凸形状が形成されている。なお、クッション部１６の分割形態については後ほど詳しく説明する。
【００１５】
姿勢保持具１０の裏面には、図２に示すように、一対の脚部１７が設けられている。一対の脚部１７は、臀部支持部１１のうち後端寄りの位置に突設されている。一対の脚部１７は、ベース部１５の裏面に左右対称な形状をなして一体に形成されている。
【００１６】
この一対の脚部１７によって、姿勢保持具１０は左右方向に傾くことなく椅子７０の座面７１に安定して設置される。また、姿勢保持具１０を椅子７０の座面７１に設置した状態では、臀部支持部１１が座面７１に対して後ろ上がりで傾斜した状態になる。
【００１７】
また、姿勢保持具１０の裏面には、図２に示すように、複数箇所（本実施例では４箇所）に滑り止め部１８が設けられている。滑り止め部１８は、臀部支持部１１の左右方向における中央部に前後一対と、その両側に左右一対とが設けられている。
【００１８】
滑り止め部１８は、ゴム等によって形成された略長円形の薄板状をなす本体部１９と、本体部１９の一面に立設された一対の係止部２１とを備えている（図７参照）。一対の係止部２１は対向配置されるとともに、その先端には、ベース部１５に設けられた係止孔２２に係止可能な係止爪２３が設けられている。
【００１９】
ベース部１５の係止孔２２は、ベース部１５を表裏方向に貫通している。係止孔２２のうち裏側の端部には、滑り止め部１８の本体部１９が嵌合可能な略長円形をなして嵌合凹部２４が凹み形成されている。また、係止孔２２のうち表側の端部には、係止爪２３が係止可能な係止受け部２５が形成されている。そして、一対の係止部２１を係止孔２２に差し入れると、係止爪２３が係止受け部２５に係止し、本体部１９が嵌合凹部２４に嵌合して滑り止め部１８がベース部１５に固定される。滑り止め部１８は、本体部１９の厚さ方向における一部が嵌合凹部２４から裏側に突出した状態で固定される。
【００２０】
臀部支持部１１は、着座者５０の臀部５１に沿うように湾曲している。詳しくは、臀部支持部１１は、図５に示すように、左右方向における中央部よりも両側縁部が上側（表側）に位置するように湾曲した形状をなすとともに、図６に示すように、前部よりも後部が上側に位置するように湾曲した形状をなしている。すなわち、臀部支持部１１は、全体として球面をなして裏面側に凹んだ形状（裏面が球面をなすように裏側に膨らんだ形状）をなしている。
【００２１】
大腿支持部１２は、臀部支持部１１の前方に設けられている。大腿支持部１２は、全体として左右方向における中央部よりも両側縁部が表側に位置するように湾曲した形状をなしている。
【００２２】
また、大腿支持部１２には、左右方向における中央部に突起部２６が設けられている（図６参照）。そして、突起部２６を間にした左右両側には、着座者５０の大腿５２に沿うように湾曲して凹んだ凹部２７が形成されている。なお、大腿支持部１２の前端部は、左右方向における中央部が後方に凹んだ形状をなしている。
【００２３】
腰部支持部１３は、図４に示すように、左右方向における中央部よりも両側縁部が前側（表側）に位置し、また、図６に示すように、下部よりも上部が前側（表側）に位置するように湾曲した形状をなしている。
【００２４】
腰部支持部１３の下部は、図１に示すように、左右両側が切り欠かれた形態をなし、臀部支持部１１の後部および腰部支持部１３の上部よりも左右方向の幅寸法が小さくされてる。また、腰部支持部１３の上部には、下方へ切り欠かれた形態の切欠き部２８が形成されている。切欠き部２８は、腰部支持部１３の左右方向における中央部に形成されている。
【００２５】
さて、クッション部１６は、複数のブロック部に分割されている。複数のブロック部は、ベース部１５の表面１４に左右対称をなすように配されている。クッション部１６が複数のブロック部に分割されていることによって、クッション部１６はブロック部毎に弾性変形する。すなわち、複数のブロック部に分割されたクッション部１６は、圧力によって面方向に逃げるように大きく弾性変形することが規制されるから、確実に着座者５０の各部位を支持することができる。
【００２６】
そして、複数のブロック部のうちの１つは、他のブロック部よりも突出寸法が大きくされた突出部３１とされている。突出部３１は、腰部支持部１３の表面１４の左右方向における中央部（切欠き部２８の真下）に設けられている。
突出部３１は、図１１に示すように、頂部が下向きの逆三角形状をなし、その左右方向の寸法は、着座者５０の一対の腸骨６２の間隔よりも小さくされている。この突出部３１は、例えばポリプロピレン等の合成樹脂製の土台部３２の表側にクッション部（以後、センタークッション部１６Ｔと称する）が接着されてなる。
【００２７】
土台部３２は、図８に示すように、ベース部１５から立ち上がる周壁部３３と、周壁部３３の表側を防ぐ蓋部３４とを有して後方（ベース部１５側）に開放された箱状をなしている。周壁部３３は全周にわたり略一定の高さ寸法を有し、その高さ寸法は他のブロック部（後述する支持突部）の厚さ寸法よりも大きくされている。
【００２８】
蓋部３４には、ベース部１５に土台部３２を固定するためのネジ３５の軸部を通すことが可能な通し孔３６が、上下に一対設けられている。通し孔３６は、蓋部３４の裏方に一段入ったところに設けられている。通し孔３６は、ネジ３５の軸線が蓋部３４に対して傾斜するように傾いて設けられている。
【００２９】
センタークッション部１６Ｔは、蓋部３４と同形状をなして蓋部３４の表面の全体を覆っている。センタークッション部１６Ｔは、他のブロック部よりも厚く、全体にわたり概ね一定の厚さ寸法とされている。
【００３０】
一方、ベース部１５には、突出部３１の土台部３２を固定するための固定部３７が設けられている。固定部３７は、ベース部１５の表面に立設された一対の柱部３８を有し、各柱部３８には、ネジ３５の軸部が螺合可能なネジ穴３９が形成されている。柱部３８は、ベース部１５に対して傾斜して立ち上がり、姿勢保持具１０を椅子７０にセットしたときには斜め上向きに配されるようになっている。
そして、突出部３１は、ベース部１５に土台部３２を固定した後に、土台部３２の表側にセンタークッション部１６Ｔを貼り付けることにより形成される。
【００３１】
複数のブロック部のうち突出部３１を除く他のブロック部は、着座者５０の骨盤を構成する骨またはその周囲の筋肉をそれぞれ支持可能な支持突部とされている。支持突部は、それぞれ着座者５０の骨盤の骨に対応する位置に配されている。支持突部の突出寸法は、支持突部毎に概ね一定とされ、その突出面は、ベース部１５に対して略平行をなしている。
【００３２】
支持突部は、図１に示すように、腰部支持部１３の上端縁部に沿って設けられた左右一対の第１支持突部４２と、各第１支持突部４２の下側に設けられた左右一対の第２支持突部４３と、各第２支持突部４３の下側に設けられた左右一対の第３支持突部４４と、臀部支持部１１の左右方向における中央部に設けられた第４支持突部４５と、第４支持突部４５の左右両側に設けられた一対の第５支持突部４６とを備えている。
【００３３】
第１支持突部４２は、腰部支持部１３の切欠き部２８の左右両側に設けられ、切欠き部２８の左右両側縁から腰部支持部１３の上縁の略全体に沿うように形成されている。第１支持突部４２は、全体として左右方向に長細い弓形状をなしている。第１支持突部４２は、図６に示すように、左右方向における中央側（切欠き部２８側）の端部から反対側（外側）の端部に向かって次第に上下方向の寸法が小さくなる形状とされている。また、第１支持突部４２は、略全体がわずかに裏方に膨らむように弓形状に湾曲している。
【００３４】
第２支持突部４３は、図１に示すように、前方から見るとＬ字形状をなし、突出部３１に沿って下がる部分（以後、垂直部４３Ｙと称する）と、第１支持突部４２に沿って左右に延びる部分（以後、水平部４３Ｘと称する）とを有している。垂直部４３Ｙと水平部４３Ｘとは略直角をなし、垂直部４３Ｙの幅寸法（左右方向寸法）よりも水平部４３Ｘの幅寸法（上下方向の寸法）が大きくされている。垂直部４３Ｙの端部は腰部支持部１３の下端に至り、水平部４３Ｘの端部は腰部支持部１３の左右両端縁に至っている。第２支持突部４３は、第１支持突部４２と同等の厚さ寸法を有している。第２支持突部４３は、図４に示すように、水平部４３Ｘの略全体が裏方に若干膨らむように湾曲している。
【００３５】
第３支持突部４４は、腰部支持部１３の下部に設けられている。第３支持突部４４は、第２支持突部４３の垂直部４３Ｙと腰部支持部１３の下部の切欠きとの間のスペースを埋めるような方形状をなしている。第３支持突部４４の厚さ寸法は、第１支持突部４２および第２支持突部４３の厚さ寸法よりも若干大きくされている。第３支持突部４４は、左右の切欠き側に配される部分が若干表側に位置するように湾曲した形状をなしている。なお、第２支持突部４３の垂直部４３Ｙの下縁と、第３支持突部４４の下縁とは左右方向に同一線状をなすように配されている。
【００３６】
第４支持突部４５は、前後方向に細長い形状をなし、臀部支持部１１の後端から大腿支持部１２の前端まで直線状に延びている。第４支持突部４５は、図４に示すように、後端から前端に向かって次第に左右方向の幅寸法が増している。第４支持突部４５は、図６に示すように、全体として下方へ若干膨らむように湾曲している。第４支持突部４５は、第１支持突部４２および第２支持突部４３よりもわずかに小さい厚さ寸法とされている。
【００３７】
第５支持突部４６は、図４に示すように、臀部支持部１１および大腿支持部１２のうち第４支持突部４５の左方および右方の略全体を覆っている。第５支持突部４６の後縁と第４支持突部４５の後縁とはほぼ同一線上に配され、第５支持突部４６の内側縁は、第４支持突部４５の側縁と略平行をなしている。また、第５支持突部４６の外縁は、臀部支持部１１および大腿支持部１２の外縁に沿っている。第５支持突部４６の厚さ寸法は、第４支持突部４５の厚さ寸法よりも大きく、第３支持突部４４の厚さ寸法よりも小さくされている。第５支持突部４６は、左右方向においては中央部が下方に若干膨らむように湾曲している。
【００３８】
次に、本実施例の姿勢保持具１０を使用する場合の一例について説明する。
まず、姿勢保持具１０を椅子７０の座面７１に載置する。すると、姿勢保持具１０は、一対の脚部１７によって適正な姿勢で座面７１に設置される。詳しくは、姿勢保持具１０は、臀部支持部１１の表面１４が後ろ上がりに傾いた姿勢で設置される。なお、着座者５０の体重によってこのような前傾姿勢に正されるものとしてもよい。
【００３９】
次いで、着座者５０が姿勢保持具１０に着座する。
すると、図１０に示すように、着座者５０の臀部５１が臀部支持部１１によって左右両側から支持されることで、臀部５１の左右方向の位置が定まるとともに、臀部支持部１１の傾斜によって、臀部５１が後ろ上がりの姿勢で保持される。これにより、着座者５０の骨盤が概ね左右方向に歪むことなく、また後側に倒れることなく立った状態になる。
【００４０】
このとき、着座者５０の尾骨５６の下側の筋肉が第４支持突部４５に載置されるとともに坐骨５７の周囲の筋肉が第４支持突部４５および第５支持突部４６に載置されて下方から支持される。これにより、着座者５０の骨盤が左右方向に振れることをより確実に防ぐことができる。
【００４１】
また、着座者５０の大腿５２が大腿支持部１２の各凹部２７に載置され、大腿骨５８およびその周囲の筋肉が第５支持突部４６に支持されて、２本の大腿骨５８が略平行に揃った状態に保持される。なお、大腿支持部１２に設けられた突起部２６によって、着座者５０の臀部５１が前方に滑って姿勢が崩れることを防ぐことができる。
【００４２】
そして、着座者５０の腰部５３が腰部支持部１３に支持される。このとき、着座者５０は、仙骨５９の後方部位が突出部３１に当接するように意識する。この際、突出部３１が仙骨５９の形状に合っているから、仙骨５９の後方部位を突出部３１に確実に当てることができる。すなわち、仮に突出部が仙骨５９と大きく異なる形状をなしている場合には、仙骨５９ではない骨（例えば腸骨６２等）が突出部に当たりやすくなるため仙骨５９を突出部に当てることが難しい。しかしながら、突出部３１の形状が仙骨５９の形状に合っているから、他の骨が突出部３１に当たり難いため、確実に仙骨５９を当てることができる。そして、仙骨５９の後方部位が突出部３１に当接することにより、仙骨５９が前方に押されて若干前傾姿勢の正しい角度となって保持される。これにより、仙骨５９の上端面（腰椎６１の土台）が正しく傾斜し、図９に示すように、背骨が前後方向に緩やかに湾曲して立ちあがった状態になる。したがって、背骨が大きく湾曲して猫背のような姿勢になることを防ぐことができる。
【００４３】
また、こうして正しく立ち上がった着座者５０の腰椎６１の周囲の筋肉が、図１０に示すように、第１支持突部４２の内側端部によって左右両後方を支持された状態になる。これにより、正しく立ち上げられた腰椎６１が左右後方に振れることを防ぐことができる。
【００４４】
また、着座者５０の腸骨６２の周囲の筋肉が第２支持突部４３に支持される。詳しくは、第２支持突部４３の水平部４３Ｘによって、腸骨６２の上部および左右両側縁部の周囲の筋肉が後方から包まれるように押圧される。これにより、着座者５０の腸骨６２が左右方向に振れたり後方向に傾くことが規制され、正しい位置に保持される。
【００４５】
また、着座者５０の股関節５５の周囲の筋肉が第３支持突部４４に当接し、左右方向に振れることなく正しい位置に保持される。
こうして、着座者５０の骨盤の歪みが正され、かつ、仙骨５９も前傾を保つことができ、着座者５０の姿勢が正しい状態に保持される。
【００４６】
次に、上記のように構成された実施例の作用および効果について説明する。
本実施例における姿勢保持具１０は、左右方向における中央部よりも両側縁部が表側に位置するように湾曲した表面１４を有して着座者５０の臀部５１を支持する臀部支持部１１と、左右方向における中央部よりも両側縁部が表側に位置するように湾曲した表面１４を有して着座者５０の腰部５３を支持する腰部支持部１３と、を備え、腰部支持部１３の表面１４のうち左右方向における中央部に、突出部３１が突設されている。
【００４７】
この構成によれば、臀部支持部１１および腰部支持部１３によって着座者５０の臀部５１および腰部５３が左右両側から支持されて左右方向に正しい位置に保持され、かつ、腸骨６２が押されて前傾になり、さらに突出部３１に仙骨５９が当たるようにして座ることにより仙骨５９の前後方向の位置が正しい位置に定められ、それにより仙骨５９が支持する腰椎６１を正しい位置に保持することができるから、着座者５０の姿勢をより正しい状態に保持することができる。
【００４８】
また、臀部支持部１１および腰部支持部１３の表面１４に凹凸形状が形成されている。この構成によれば、表面１４に形成された凹凸形状が滑り止めになるから、着座者５０の姿勢を正しい状態に保持し続けることができる。
【００４９】
また、臀部支持部１１または腰部支持部１３の表面１４には、着座者５０の骨盤を構成する骨に対応してそれぞれの骨またはその周囲の筋肉を支持可能な支持突部４２，４３，４４，４５，４６が分割して設けられている。この構成によれば、臀部支持部１１または腰部支持部１３の表面１４に設けられた支持突部４２，４３，４４，４５，４６にそれぞれの骨またはその周囲の筋肉を支持させるようにして着座することにより、着座者５０の姿勢をより正しい状態に保持することができる。
【００５０】
また、突出部３１が、頂部が下向きの逆三角形状をなしている。この構成によれば、突出部３１の形状が仙骨５９の形状に合っているから、仙骨５９を突出部３１に確実に当てることができる。
【００５１】
＜他の実施例＞
本発明は上記記述及び図面によって説明した実施例に限定されるものではなく、例えば次のような実施例も本発明の技術的範囲に含まれる。
（１）上記実施例では、支持突部が、複数のブロック部に分割されたクッション部１６によって構成されているが、これに限らず、支持突部はクッション部でなくてもよく、例えば、支持突部は、ベース部に一体に突設されたものであってもよい。
（２）上記実施例では、突出部３１の土台部３２がネジ３５によりベース部１５に固定されているが、これに限らず、例えば突出部の土台部は、ベース部に一体に形成してもよく、また、ネジ等を使用しない嵌め合い構造によってベース部に固定してもよい。
（３）上記実施例では、クッション部１６の分割形態の一例を示したが、これに限らず、クッション部の分割形態は任意に変更することができる。
（４）上記実施例では、支持突部として第１支持突部４２、第２支持突部４３、第３支持突部４４、第４支持突部４５および第５支持突部４６を例示したが、これに限らず、例えば支持突部を細分化してもよいし、また支持突部同士を一体化する等してもよい。
（５）上記実施例では、クッション部１６が複数のブロック部に分割されることによって姿勢保持具１０の表面１４に凹凸形状が形成されているが、これに限らず、例えば、姿勢保持具の表面全体に連続して広がるクッション部を備え、クッション部の厚さ寸法を部分的に変えることによって凹凸形状を形成してもよい。
（６）上記実施例では、突出部３１が逆三角形状をなしているが、これに限らず、突出部の形状は適宜変更することができ、例えば長方形状または長円形状等としてもよい。
（７）上記実施例では、腰部支持部１３の表面が左右方向における中央部よりも両側縁部が前側に位置し、また下部よりも上部が前側に位置するように湾曲した形状をなしているが、必ずしも腰部支持部の表面は湾曲していなくてもよく、例えば腰部支持部の表面は、各方向において浅いＶ字形状やＵ字形状等をなすものとしてもよい。
（８）上記実施例では、臀部支持部１１の表面が左右方向における中央部よりも両側縁部が上側に位置し、また前部よりも後部が上側に位置するように湾曲した形状をなしているが、必ずしも臀部支持部の表面は湾曲していなくてもよく、例えば臀部支持部の上面は、各方向において浅いＶ字形状やＵ字形状等をなすものとしてもよい。
（９）上記実施例では、臀部支持部１１の裏面が球面をなすように裏側に膨らんだ形状とされているが、必ずしも臀部支持部の裏面は球面をなしていなくてもよく、例えば臀部支持部の裏面は、浅いＶ字形状をなすように裏側に膨らんだ形状としてもよい。
【符号の説明】
【００５２】
１０…姿勢保持具
１１…臀部支持部
１３…腰部支持部
１４…表面
３１…突出部
５０…着座者
５１…臀部
５３…腰部
【図１】
2020054922.tif 000003
【図２】
2020054922.tif 000004
【図３】
2020054922.tif 000005
【図４】
2020054922.tif 000006
【図５】
2020054922.tif 000007
【図６】
2020054922.tif 000008
【図７】
2020054922.tif 000009
【図８】
2020054922.tif 000010
【図９】
2020054922.tif 000011
【図１０】
2020054922.tif 000012
【図１１】
2020054922.tif 000013
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
ベース部と、
前記ベース部の表側に設けられ、複数に分割された形態をなし、着座者の腰部に当接する表面に凹凸形状を形成するクッション部と、
を備えている姿勢保持具。
【請求項２】
前記着座者の腰部を支持する腰部支持部を備え、
前記腰部支持部の前記表面の左右方向における中央部に、突出部が設けられている請求項１に記載の姿勢保持具。
【請求項３】
前記腰部支持部は、下部よりも表側に位置する上部を有している請求項２に記載の姿勢保持具。